【手続補正書】
【提出日】平成15年10月16日(2003.10.16)
【手続補正１】
【補正対象書類名】特許請求の範囲
【補正対象項目名】全文
【補正方法】変更
【補正の内容】
【特許請求の範囲】
【請求項１】
連続正通気路圧力装置用の空気貯留装置であって、少なくとも１個の空気出入口を具えた空気タンクを保護する剛性のケースと、空気タンクの膨張の程度に関係なく均一な圧力を空気タンクに印加するべく配置された板体とを有してなり、板体が実質的に非歪性の膨張可能なフレームによりケースに連結されており、空気タンクが膨張・収縮するにしたがって該フレームが展開・縮小して板体を単一の面内のみで運動させることを特徴とする空気貯留装置。
【請求項２】
空気タンクが収縮したときに板体がケースに固定可能であり、かつ板体がケースの一側材を形成して、板体がケースに固定されたときに、空気タンクが板体とケースとの組合せにより完全に包絡されることを特徴とする請求項１に記載の装置。
【請求項３】
板体が固体状シートであることを特徴とする請求項１または２に記載の装置。
【請求項４】
板体には空気タンクへのアクセス用の閉鎖可能なアクセスポートが形成されており、該ポートを介して空気タンクが挿入・除去できることを特徴とする請求項１〜３のいずれかひとつに記載の装置。
【請求項５】
空気タンクが可撓性で非弾性の材料から形成されていることを特徴とする請求項１〜４のいずれかひとつに記載の装置。
【請求項６】
空気タンクが透明材料から形成されていることを特徴とする請求項５に記載の装置。
【請求項７】
空気タンクの周囲には一連の折畳み襞が形成されており、収縮した空気タンクが実質的に平たくなり膨張した空気タンクがその形状を残していることを特徴とする請求項５または６に記載の装置。
【請求項８】
各折畳み襞が強化リブにより補強されていることを特徴とする請求項７に記載の装置。
【請求項９】
空気タンク内部が一連の離間する内部ウェブにより補強されており、空気タンクが膨張すると該ウェブには張力が掛かることを特徴とする請求項７に記載の装置。
【請求項１０】
均一圧力が板体により空気タンクに掛けられることを特徴とする請求項１〜９のいずれかひとつに記載の装置。
【請求項１１】
均一な圧力の少なくとも一部が板体に固定されたウエイトにより空気タンクに掛けられることを特徴とする請求項１〜１０のいずれかひとつに記載の装置。
【請求項１２】
空気タンクとは反対側で板体の側材に取り付けられたバネ付勢ドラムにより均一な圧力が空気タンクに掛けられ、該ドラムは非弾性ケーブルによりケースに連結され、板体がケースの方に偏倚されて空気タンクに圧力を掛けることを特徴とする請求項１〜９のいずれかひとつに記載の装置。
【請求項１３】
板体により空気タンクに掛けられる圧力が正確に調節されるようにバネ付勢ドラムが調整されていることを特徴とする請求項１２に記載の装置。
【請求項１４】
フレームが１対の離間フレーム材を有しており、フレーム材の面が互いに平行であるとともに板体の運動面に垂直であり、フレーム材が複数の離間ピボットにより互いに連結されており、ピボットによりフレーム材が板体の運動面内でのみ相対運動可能であり、一方のフレーム材は板体に固定され他方のフレーム材はケースに固定されていることを特徴とする請求項１〜１３のいずれかひとつに記載の装置。
【請求項１５】
各フレーム材が回転可能に固定されたロッドにより連結された複数の離間ブロックを有しており、各ピボットが１対のヒンジアームを有しており、一方のヒンジアームは一端において一方のフレーム材の一方のロッドに軸承されるとともに他端において他方のヒンジアームに軸承され、他方のヒンジアームは一端において他方のフレーム材の一方のロッドに軸承されるとともに他端において他方のヒンジアームに軸承されていることを特徴とする請求項１４に記載の装置。
【請求項１６】
板体とケースとがブロックにより各フレーム材に固定されていることを特徴とする請求項１５に記載の装置。
【請求項１７】
フレームが数組の蝶番帯体を有しており、各組の１個の帯体は板体に軸承固定されており、各組の他の帯体はケースに軸承固定され、各組の帯体は相互に蝶番されていることを特徴とする請求項１〜１３のいずれかひとつに記載の装置。
【請求項１８】
空気供給ホースにより配気装置に接続された請求項１〜１７のいずれかひとつに記載の空気貯留装置を有したことを特徴とする連続正通気路圧力装置。
【請求項１９】
空気タンクの空気出入口が空気供給ホースに押圧嵌合連結されていることを特徴とする請求項１８に記載の装置。
【請求項２０】
空気タンクの空気出入口がケースに軸承された取付けクリップ内に解放可能に保持されており、空気出入口の面が該面が板体のほぼ面内にある不使用位置とこれに直交する使用位置の間に軸転され、空気供給ホースが取付けクリップに解放可能に連結可能であることを特徴とする請求項１８に記載の装置。
【請求項２１】
不使用位置において取付けクリップがケースの縁端に摘むように配置されていることを特徴とする請求項２０に記載の装置。
【請求項２２】
配気装置がフェイスマスク、鼻マスク、マウスピース、気管内または気管切開チューブからなる群から選ばれることを特徴とする請求項１８〜２１のいずれかひとつに記載の装置。
【請求項２３】
配気装置が排気弁を組み込んだフェイスマスクを有していることを特徴とする請求項１８〜２１のいずれかひとつに記載の装置。
【請求項２４】
排気弁がしきい値抵抗器弁であることを特徴とする請求項２３に記載の装置。
【請求項２５】
排気弁が固定オリフィス弁であることを特徴とする請求項２３に記載の装置。
【請求項２６】
空気供給ホースの少なくとも一部が加熱されていることを特徴とする請求項１８〜２５のいずれかひとつに記載の装置。
【請求項２７】
さらに加湿器が設けられていて、使用時に入ってくる空気の少なくとも一部を加湿することを特徴とする請求項１８〜２６のいずれかひとつに記載の装置。
【請求項２８】
ファンが設けられていて、使用時に空気タンクに空気を大気圧を超える圧力で供給することを特徴とする請求項１８〜２７のいずれかひとつに記載の装置。
【請求項２９】
装置の各要素間の連結が錠止されて独特な連結をなしていることを特徴とする請求項１８〜２８のいずれかひとつに記載の装置。
【請求項３０】
空気供給ホースの内径が３０〜５５ｍｍの範囲にあることを特徴とする請求項１８〜２９のいずれかひとつに記載の装置。
【請求項３１】
（１）請求項１〜１７のいずれかひとつに記載の空気貯留装置および内径が３０〜５５ｍｍの範囲で空気タンクをしきい値抵抗器排気弁を組み込んだフェイスマスクに接続する空気供給ホースとを有した連続正通気路圧力装置を用意し、（２）該連続正通気路圧力装置を適切な空気供給源（先に定義した）に接続し、（３）空気供給ホースを適切な計量投与吸入剤分配手段に接続し、（４）該装置によりフェイスマスクを通って配気される空気流中で該吸入剤を患者に投与することを特徴とする計量投与吸入剤により治療可能な症状の医療的治療方法。
【請求項３２】
計量投与吸入剤が気管支拡張剤、遺伝治療剤、プロテイン、ペプチド、高分子からなる群から選ばれることを特徴とする請求項３１に記載の方法。
【請求項３３】
（１）請求項１〜１７のいずれかひとつに記載の空気貯留装置と内径が３０〜５５ｍｍの範囲で空気タンクを配気装置に接続する空気供給ホースとを有した連続正通気路圧力装置を用意し、（２）連続正通気路圧力装置を空気コンプレッサーに接続し、（３）加圧空気を配気装置を介して患者に投与することを特徴とする睡眠無呼吸症の治療方法。
【請求項３４】
（１）請求項１〜１７のいずれかひとつに記載の空気貯留装置と内径が３０〜５５ｍｍの範囲で空気タンクを配気装置に接続する空気供給ホースとを有した連続正通気路圧力装置を用意し、（２）ＣＰＡＰ装置を適宜な空気供給源（先に定義した）に接続し、（３）配気装置を介して患者に空気を投与することを特徴とする高度病、急性肺浮腫または高圧治療を必要とする症状の医療的治療方法。
【請求項３５】
配気装置がフェイスマスク、鼻マスク、気管内または気管切開チューブからなる群から選ばれることを特徴とする請求項３３に記載の方法。